【手続補正書】
【提出日】平成20年6月19日(2008.6.19)
【手続補正１】
【補正対象書類名】明細書
【補正対象項目名】発明の名称
【補正方法】変更
【補正の内容】
【発明の名称】異物付着判定装置及び異物付着判定方法
【手続補正２】
【補正対象書類名】明細書
【補正対象項目名】特許請求の範囲
【補正方法】変更
【補正の内容】
【特許請求の範囲】
【請求項１】  撮像素子を備えたカメラの撮像光学系への異物の付着状態を判定する異物付着判定装置であって、
前記撮像光学系に付着した前記異物を検出する異物検出手段と、
前記異物検出手段によって検出された前記異物の位置によって重み付けを変え、その重み付けされた評価値の総量によって前記異物の付着状態を判定する判定手段を有することを特徴とする異物付着判定装置。
【請求項２】  撮像素子を備えたカメラの撮像光学系への異物の付着状態を判定する異物付着判定装置であって、
前記撮像光学系に付着した前記異物を検出する異物検出手段と、
前記異物検出手段によって検出された前記異物の大きさによって重み付けを変え、その重み付けされた評価値の総量によって前記異物の付着状態を判定する判定手段を有することを特徴とする異物付着判定装置。
【請求項３】  撮像素子を備えたカメラの撮像光学系への異物の付着状態を判定する異物付着判定装置であって、
前記撮像光学系に付着した前記異物を検出する異物検出手段と、
前記異物検出手段によって検出された前記異物の位置と大きさによって重み付けを変え、その重み付けされた評価値の総量によって前記異物の付着状態を判定する判定手段を有することを特徴とする異物付着判定装置。
【請求項４】  大きさによる重み付けパラメータを撮影レンズの開放絞り値に応じて変更する変更手段を有することを特徴とする請求項２または３に記載の異物付着判定装置。
【請求項５】  大きさによる重み付けパラメータを撮影者が任意に変更する変更手段を有することを特徴とする請求項２または３に記載の異物付着判定装置。
【請求項６】  重み付けされた異物の総量を段階表示する表示手段を有することを特徴とする請求項１ないし５のいずれか１項に記載の異物付着判定装置。
【請求項７】  撮像素子を備えたカメラの撮像光学系への異物の付着状態を判定する異物付着判定方法であって、
前記撮像光学系に付着した前記異物を検出し、
検出した前記異物の位置によって重み付けを変え、その重み付けされた評価値の総量によって前記異物の付着状態を判定することを特徴とする異物付着判定方法。
【請求項８】  撮像素子を備えたカメラの撮像光学系への異物の付着状態を判定する異物付着判定方法であって、
前記撮像光学系に付着した前記異物を検出し、
前記異物検出手段によって検出された前記異物の大きさによって重み付けを変え、その重み付けされた評価値の総量によって前記異物の付着状態を判定することを特徴とする異物付着判定方法。
【請求項９】  撮像素子を備えたカメラの撮像光学系への異物の付着状態を判定する異物付着判定方法であって、
前記撮像光学系に付着した前記異物を検出し、
前記異物検出手段によって検出された前記異物の位置と大きさによって重み付けを変え、その重み付けされた評価値の総量によって前記異物の付着状態を判定することを特徴とする異物付着判定方法。
【請求項１０】  大きさによる重み付けパラメータを撮影レンズの開放絞り値に応じて変更するようにしたことを特徴とする請求項８または９記載の異物付着判定方法。
【請求項１１】  重み付けされた異物の総量を段階表示するようにしたことを特徴とする請求項７ないし１０のいずれか１項に記載の異物付着判定方法。
【手続補正３】
【補正対象書類名】明細書
【補正対象項目名】０００１
【補正方法】変更
【補正の内容】
【０００１】
【発明の属する技術分野】
本発明は、撮像素子を備えたカメラの撮像光学系への異物の付着状態を判定する異物付着判定装置及び異物付着判定方法に関するものである。
【手続補正４】
【補正対象書類名】明細書
【補正対象項目名】０００９
【補正方法】変更
【補正の内容】
【０００９】
本発明は、上記のような問題点に着目してなされたもので、撮像光学系への異物の付着状態を簡単に判定できる異物付着判定装置及び異物付着判定方法を提供することを目的としている。
【手続補正５】
【補正対象書類名】明細書
【補正対象項目名】００１０
【補正方法】変更
【補正の内容】
【００１０】
【課題を解決するための手段】
本発明に係る異物付着判定装置及び異物付着判定方法は、次のように構成したものである。
【手続補正６】
【補正対象書類名】明細書
【補正対象項目名】００１１
【補正方法】変更
【補正の内容】
【００１１】
（１）撮像素子を備えたカメラの撮像光学系への異物の付着状態を判定する異物付着判定装置であって、前記撮像光学系に付着した前記異物を検出する異物検出手段と、前記異物検出手段によって検出された前記異物の位置によって重み付けを変え、その重み付けされた評価値の総量によって前記異物の付着状態を判定する判定手段を有することを特徴とする。
【手続補正７】
【補正対象書類名】明細書
【補正対象項目名】００１２
【補正方法】変更
【補正の内容】
【００１２】
（２）撮像素子を備えたカメラの撮像光学系への異物の付着状態を判定する異物付着判定装置であって、前記撮像光学系に付着した前記異物を検出する異物検出手段と、前記異物検出手段によって検出された前記異物の大きさによって重み付けを変え、その重み付けされた評価値の総量によって前記異物の付着状態を判定する判定手段を有することを特徴とする。
【手続補正８】
【補正対象書類名】明細書
【補正対象項目名】００１３
【補正方法】変更
【補正の内容】
【００１３】
（３）撮像素子を備えたカメラの撮像光学系への異物の付着状態を判定する異物付着判定装置であって、前記撮像光学系に付着した前記異物を検出する異物検出手段と、前記異物検出手段によって検出された前記異物の位置と大きさによって重み付けを変え、その重み付けされた評価値の総量によって前記異物の付着状態を判定する判定手段を有することを特徴とする。
【手続補正９】
【補正対象書類名】明細書
【補正対象項目名】００１４
【補正方法】変更
【補正の内容】
【００１４】
（４）撮像素子を備えたカメラの撮像光学系への異物の付着状態を判定する異物付着判定方法であって、前記撮像光学系に付着した前記異物を検出し、検出した前記異物の位置によって重み付けを変え、その重み付けされた評価値の総量によって前記異物の付着状態を判定することを特徴とする。
【手続補正１０】
【補正対象書類名】明細書
【補正対象項目名】００１５
【補正方法】変更
【補正の内容】
【００１５】
（５）撮像素子を備えたカメラの撮像光学系への異物の付着状態を判定する異物付着判定方法であって、前記撮像光学系に付着した前記異物を検出し、前記異物検出手段によって検出された前記異物の大きさによって重み付けを変え、その重み付けされた評価値の総量によって前記異物の付着状態を判定することを特徴とする。
【手続補正１１】
【補正対象書類名】明細書
【補正対象項目名】００１６
【補正方法】変更
【補正の内容】
【００１６】
（６）撮像素子を備えたカメラの撮像光学系への異物の付着状態を判定する異物付着判定方法であって、前記撮像光学系に付着した前記異物を検出し、前記異物検出手段によって検出された前記異物の位置と大きさによって重み付けを変え、その重み付けされた評価値の総量によって前記異物の付着状態を判定することを特徴とする。
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】削除
【補正の内容】
【手続補正１９】
【補正対象書類名】明細書
【補正対象項目名】００４０
【補正方法】変更
【補正の内容】
【００４０】
そして、異物の付着している位置が画面の中央付近では重み付けを大きくし、周辺部では重み付けを小さくしている。また、異物の大きさが大きいときには重み付けを大きくし、小さければ重み付けを小さくしている。この重み付けされた値の総和を演算して異物の付着量を表示することによって、より人間の感覚に近い基準で異物の付着状況を知らせることができるようになる。